(57)【要約】【課題】特に石材表面を表現するに際してこれまでとは異なる質感を与え、視覚的、触感的、或いは視覚的及び触感的の両面において従来とは異なる構造を具備した化粧材を提供する。【解決手段】表面に凹凸模様が形成されてなる化粧材であって、基材と、基材の一方の面に形成された凹凸を具備する模様形成層と、模様形成層に積層され、石材表面模様を有する絵柄層と、を有し、凹凸模様を形成する凸部が、第一傾斜面と第二傾斜面とを有し、第一傾斜面の一端と第二傾斜面の一端とが連結することにより、凸部の頂部が稜線を成し、第一傾斜面とシート面とのなす傾斜角が、第二傾斜面とシート面との成す傾斜角よりも小さい凹凸模様を含む。【選択図】図６
2020157551.tif 000002
【特許請求の範囲】
【請求項１】
表面に凹凸模様が形成されてなる化粧材であって、
基材と、
前記基材の一方の面に形成された凹凸を具備する模様形成層と、
前記模様形成層に積層され、石材表面模様を有する絵柄層と、を有し、
前記凹凸模様を形成する凸部が、第一傾斜面と第二傾斜面とを有し、前記第一傾斜面の一端と前記第二傾斜面の一端とが連結することにより、前記凸部の頂部が稜線を成し、
前記第一傾斜面とシート面とのなす傾斜角が、前記第二傾斜面とシート面との成す傾斜角よりも小さい前記凹凸模様を含む、化粧材。
【請求項２】
前記絵柄層が大理石調の絵柄を備えている請求項１に記載の化粧材。
【発明の詳細な説明】
【技術分野】
【０００１】
本発明は化粧材に関し、特に石材表面を表現した化粧材において従来とは異なる質感を備える化粧材に関する。
【背景技術】
【０００２】
化粧材における意匠表現は多岐に亘るが、例えば特許文献１、特許文献２に記載のように、表面に石材の劈開面、セメントや石膏等の左官による鏝痕の壁面形状の凹凸模様が表現された化粧材がある。
【０００３】
このような化粧材は、該化粧材の表面の凹凸模様の凹凸を反転した凹凸を有するエンボス版を基材表面に押圧して賦形することにより作製されることが多く、このエンボス版にはエッチング加工によってその表面の凹凸が形成される。これにより細かい表現を行うことができるとされている。
【先行技術文献】
【特許文献】
【０００４】
【特許文献１】実開昭６１−１００５９５号公報
【特許文献２】特開２００３−２１１８１６号公報
【発明の概要】
【発明が解決しようとする課題】
【０００５】
一方、化粧材の分野では、近年における嗜好の多様化や、より新しい視覚的、触感的な表面形態の要求があり、かかる観点からより付加価値の高い意匠外観及び触感を発現する化粧材を提供することが望まれている。
【０００６】
そこで本発明は、特に石材表面を表現するに際してこれまでとは異なる質感を与え、視覚的、触感的、或いは視覚的及び触感的の両面において従来とは異なる構造を具備した化粧材を提供することを課題とする。
【課題を解決するための手段】
【０００７】
発明者は、従来における石材の表面凹凸を模した化粧材を検討した結果、その凹凸形状における高さの階調が、例えば、高低の２階調のみであったり、傾斜面があっても傾斜角が１種類のみであったり等であるため単調となっているという知見を得た。この知見に基づいて、視覚的、触感的にこれまでとは異なる模様の形態を具体化して本発明を完成させた。以下、本発明について説明する。
【０００８】
本発明の１つの態様は、表面に凹凸模様が形成されてなる化粧材であって、基材と、基材の一方の面に形成された凹凸を具備する模様形成層と、模様形成層に積層され、石材表面模様を有する絵柄層と、を有し、凹凸模様を形成する凸部が、第一傾斜面と第二傾斜面とを有し、第一傾斜面の一端と第二傾斜面の一端とが連結することにより、凸部の頂部が稜線を成し、第一傾斜面とシート面とのなす傾斜角よりも、第二傾斜面とシート面との成す傾斜角が大きい凹凸模様を含む、化粧材である。
【０００９】
また、絵柄層が大理石調の絵柄を備えているように構成してもよい。
【発明の効果】
【００１０】
本発明の化粧材によれば、従来に対してその凹凸模様における高さの階調が多様化し、視覚的、触感的にこれまでとは異なる意匠外観を表現する石材表面模様を有する化粧材を実現することが可能となる。
【図面の簡単な説明】
【００１１】
【図１】図１は化粧材１０の表面の一部を拡大して表した平面図である。
【図２】図２は化粧材１０の層構成を説明する断面が表れた斜視図である。
【図３】図３は化粧材１０’の層構成を説明する断面が表れた斜視図である。
【図４】図４は模様形成層の平面視形状を説明する平面図である。
【図５】図５は図４の一部を拡大した図である。
【図６】図６（ａ）は化粧材１０の一部を模式的に表した断面図、図６（ｂ）は図６（ａ）の一部を拡大した図である。
【図７】図７は、化粧材の凹凸模様を構成する第一傾斜面及び第二傾斜面とからなる凹凸模様における傾斜角θ１及び傾斜角θ２について説明する図である。
【図８】図８はレーザにより型に凹凸を形成する場面を説明する図である。
【発明を実施するための形態】
【００１２】
以下、本発明を図面に示す形態に基づき説明する。ただし、本発明はこれら形態に限定されるものではない。なお、以下に示す図面では分かりやすさのため部材の大きさや比率を変更または誇張して記載することがある。また、見やすさのため説明上不要な部分の図示や繰り返しとなる符号は省略することがある。
【００１３】
図１は１つの形態にかかる化粧材１０の一部を拡大し、模様形成層１２が形成された側から平面視した図（平面図）である。図１には便宜のため、方向を表す矢印（ｘ、ｙ、ｚ）、即ち座標系も併せて表記した。ここでｘｙ方向は化粧材１０における面内方向、ｚ方向は厚さ方向、即ち面内方向（ｘｙ平面）の法線方向である。従って図１は化粧材１０を凹凸模様が形成された側であるｚ方向から見た図ということになる。
図１からわかるように本形態の化粧材１０は、石材表面の凹凸を具備する凹凸模様及び絵柄が付されたものである。
【００１４】
図２には、化粧材１０の層構成を説明するため、化粧材１０の一部を厚さ方向に切断（即ちｚｘ面に平行な面に沿って切断）して切り取り、断面が表れるようにした斜視図を示した。
図２からわかるように、本形態の化粧材１０は、基材１１、基材１１の一方の面に形成された模様形成層１２、基材１１のうち模様形成層１２とは反対側に配置された絵柄層１８、及び、絵柄層１８のうち基材１１とは反対側に配置された着色層１９を有している。
ただし、層構成はこれに限らず、図３に示した化粧材１０’の例のように、基材１１、基材１１の一方の面に形成された模様形成層１２、及び、模様形成層１２に積層された絵柄層１８を有して構成されてもよい。
【００１５】
基材１１は、模様形成層１２を担持し、絵柄層１８、及び必要に応じて着色層１９を積層させる基材として機能するとともに、化粧材１０に強度を付与する機能を有する。基材１１の形態としてはフィルム、シート、あるいは板の何れでも良い。一般的には、厚さが比較的薄いものから、順次、フィルム、シート、板と呼称されるが、本形態においては、これら基材の厚さ形態による差異は本質的な事項では無く重要な事項でもない。そのため、本明細書中においてはフィルム、シート、及び板の何れかの用語は適宜他の用語に読み換えても本発明の本質も特許請求の範囲の解釈も不変である。
【００１６】
基材１１は従来公知の化粧材と同様の機能を有するものであればよいので、その材料は特に限定されない。例えば、基材の材料としては、通常、ポリエチレン、ポリプロピレン、オレフィン系熱可塑性エラストマー、アイオノマー等のポリオレフィン系樹脂、ポリメチルメタクリレート、ポリブチルメタクリレート等のアクリル樹脂、ポリエチレンテレフタレート、ポリブチレンテレフタレート等の熱可塑性ポリエステル樹脂、熱可塑性ウレタン樹脂、塩化ビニル樹脂、ＡＢＳ樹脂（アクリロニトリル−ブタジエン−スチレン共重合体）、スチレン樹脂等の熱可塑性樹脂、メラミン樹脂、不飽和ポリエステル樹脂、２液硬化型ウレタン樹脂、エポキシ樹脂等の熱硬化性樹脂、或いは、ラジカル重合型のアクリレート系やカチオン重合型のエポキシ系等の単量体やプレポリマーで電離放射線（紫外線、電子線等）で硬化する電離放射線硬化性樹脂等が用いられる。なお、基材の材料が樹脂の場合、公知の着色剤で着色しても良い。この他、紙、不織布、金属、木等もシート、板、立体物等の形状で、適宜上記樹脂材料と積層させて、使用することもできる。
【００１７】
また、基材１１として、紙、あるいは合成樹脂や硝子の繊維から成る不織布、織布、又は編物等の繊維質シートにメラミン樹脂、フェノール樹脂、ウレタン樹脂、エポキシ樹脂、不飽和ポリエステル樹脂、ジアリルフタレート樹脂等の熱硬化性樹脂を含侵させて硬化せしめた複合体（いわゆる熱硬化性樹脂化粧材、ＦＲＰ等）を使用することもできる。
【００１８】
ただし、図２の例では絵柄層１８の模様が視認できるように基材１１は透明であることが好ましい。一方、図３の例では基材１１は必ずしも透明である必要はない。
【００１９】
基材の厚さには特に制限は無いが、シート状基材又はフィルム状基材の場合は例えば、厚さ２０μｍ以上１０００μｍ以下程度、板状基材の場合は例えば、１ｍｍ以上２０ｍｍ以下程度のものが使用できる。
【００２０】
模様形成層１２は、凹凸模様により化粧材１０に対して触感及び視覚的な観点から外観を付与する層である。図４には模様形成層１２による凹凸を濃淡で表し、平面視した拡大図を示した。黒い部分が高く（ｚの座標が大きい）、色が薄くなるにつれて低い（ｚが小さい）ことを意味する。従って図４からは模様形成層１２が有する凹凸模様の形態を理解することができる。図５には図４の一部をさらに拡大した図を表した。
図６（ａ）には、化粧材１０の厚さ方向断面（即ちｚｘ面に平行な１つの面に沿って切断した面）のうち図５にＩ−Ｉで示した部位で、基材層１１及び模様形成層１２の部位を拡大し模式的に表した。また、図６（ｂ）には図６（ａ）の一部であり、模様形成層１２が具備する１つの凸部１４の頂部が形成する稜線１４ａ、及び、凹部１５の谷底が形成する谷線１５ａの周辺に注目して拡大した図を表した。従って、図６（ａ）、図６（ｂ）からは模様形成層１２が有する凹凸模様のうち、凹凸の高さ方向の形態がわかる。
【００２１】
図４、図５、図６（ａ）、図６（ｂ）からわかるように、本形態の化粧材１０では、模様形成層１２が、その高さ方向（ｚ方向、厚さ方向）において凸部１４及び凹部１５が繰り返される凹凸形状を有する。これにより石材表面の立体的な凹凸模様が表現されている。より詳しくは次の通りである。
【００２２】
模様形成層１２はその断面視において図６（ａ）、図６（ｂ）からわかるように、凸部１４及び凹部１５が繰り返してなる。
図６（ａ）、図６（ｂ）からわかるように、凸部１４は、第一傾斜面１６の一端と第二傾斜面１７の一端とが頂部で接続することで形成され、この頂部が稜線１４ａを成している。一方、凹部１５は、第一傾斜面１６の他端と第二傾斜面１７の他端とが谷底部で接続することで形成され、この谷底部が谷線１５ａを成している。これにより凸部１４と凹部１５とが交互に繰り返され、稜線１４ａと谷線１５ａとが交互に繰り返されている。
そして、この稜線１４ａ及び谷線１５ａがシート面内方向において所定の形状で延びることにより、石材表面の模様を有する形態となる。
【００２３】
ここで、第一傾斜面１５は、図６（ｂ）に示したようにシート面ＰＳｈｅｅｔ（図６（ｂ）に示したＰ２Ｓｈｅｅｔ）におけるシート面内方向、即ち、図６（ｂ）においてはｘｙ平面乃至これと平行な仮想平面に平行である方向に対してθ１の傾斜角を有している。一方、第二傾斜面１７は、図６（ｂ）に示したようにシート面ＰＳｈｅｅｔにおけるシート面内方向に平行である方向に対してθ２の傾斜角を有している。尚、同図においては、シート面内方向の断面をｘ方向に平行に延びる点線で表示している。
なお、以降、シート面と第一傾斜面１６とのなす角を、第一傾斜面１６の傾斜角θ１あるいは略して傾斜角θ１と呼称する。又、シート面と第二傾斜面１７とのなす角を第二傾斜面１７の傾斜角θ２あるいは略して傾斜角θ２と呼称する。更に、傾斜角θ１と傾斜角θ２とを総称して、傾斜角あるいは傾斜角θ１、傾斜角θ２とも略称する。
【００２４】
ここで、「シート面ＰＳｈｅｅｔ」とは化粧材を大局的に全体として視た時に、平面内において延在する（広がっている）方向を代表する面を言う。通常の化粧材の場合は、模様形成層の凹凸模様の表面の包絡面を最小二乗法等により平滑化した面が平面となる場合が多い。この場合には、かかる包絡面を平滑化して得られる平面及びこれと平行な任意の平面がシート面に相当する。なお、図６（ｂ）の如く、化粧材の模様形成層とは反対側の面（いわゆる裏面）が平滑な平面となる場合は該化粧材の模様形成層の反対面を平滑化した面及びこれと平行な任意の面をシート面とすることができる。
なお、これら包絡面を平滑化した面又は模様形成層の反対面を平滑化した面が曲面に代表される非平面の場合は、かかる一度平滑化した包絡面又は一度平滑化した反対面を、更に、最小二乗法等により平面化した面を以ってシート面と定義する。
【００２５】
ここで、傾斜角を定義する測定基準となるシート面ＰＳｈｅｅｔは、第一傾斜面１６及び第二傾斜面１７の両面と交差するシート面を選ぶ。その中でも、第一傾斜面１６と第二傾斜面１７との傾斜角の差異が視覚及び触感に及ぼす影響度は稜線１４ａ（頂部）近傍が一番大きい為、傾斜角度θ１及び傾斜角θ２を定義する測定基準となるシート面ＰＳｈｅｅｔは稜線１４ａに近い面を選ぶことが好ましい。この点を考慮して、以下の（１）乃至（６）のように傾斜角定義の測定基準とすべきシート面ＰＳｈｅｅｔ選定するとともに傾斜角θ１、傾斜角θ２を得る。
【００２６】
（１）
先ず、当傾斜角度θ１及び傾斜角θ２の測定対象とすべき特定の凸部１４について、その第一傾斜面１６と第二傾斜面１７のうちで、シート面方向への延在距離Ｌ１６及びＬ１７（これは、傾斜面のシート面ＰＳｈｅｅｔへの正射影についての傾斜方向（同図ではｘ方向）の長さに相当する）のうち、より短い距離Ｌｓｈｏｒｔ（＝ｍｉｎ（Ｌ１６、Ｌ１７））となる方の傾斜面を選ぶ。ここで、ｍｉｎ（ａ、ｂ）は、ａとｂの２つの数値のうちで、より小さい方の数値を選ぶ演算子である。図３（ｂ）の場合は、Ｌｓｈｏｒｔ＝ｍｉｎ（Ｌ１６、Ｌ１７）＝Ｌ１７となるため、第二傾斜面１７が選択される。
【００２７】
（２）
次いで、Ｌｓｈｏｒｔと４／３ｍｍ＝１．３３３３３…ｍｍとの大小関係を明らかにする。４／３ｍｍの実測上の有效桁数であるが、汎用測定機器での測定精度及び目視と触感に於ける差異検知の判別閾値を考慮して１．３ｍｍとすれば十分である。
【００２８】
（３）
そして明らかにした上記大小関係に基づいて図３（ｂ）にＰ２Ｓｈｅｅｔで表したように第一傾斜面１６及び第二傾斜面１７の両面と交差するシート面である特定シート面Ｐ２Ｓｈｅｅｔを選ぶ。具体的には次のようにしておこなう。
（３−１）Ｌｓｈｏｒｔ＞４／３ｍｍ（≒１．３）の場合；
稜線１４ａを起点として、そこからシート面内方向（同図ではｘ方向に）に、稜線からのシート面内方向距離＝１ｍｍの距離において第一傾斜面１６及び第二傾斜面１７の両面と交差するシート面を特定シート面とする。
（３−２）Ｌｓｈｏｒｔ≦４／３ｍｍ（≒１．３）の場合；
稜線１４ａを起点として、そこからシート面内方向（同図ではｘ方向に）に、(１／４)×Ｌｓｈｏｒｔ≦稜線からのシート面内方向距離≦(３／４)×Ｌｓｈｏｒｔの距離において第一傾斜面１６及び第二傾斜面１７の両面と交差するシート面を特定シート面とする。
【００２９】
（４）
第一傾斜面１６、第二傾斜面１７、及び該特定シート面Ｐ２Ｓｈｅｅｔで構成される３角柱を稜線１４ａの主切断面（同図ではｚｘ平面乃至これと平行な面）における該３角柱と該直交平面とが交差して形成される３角形を求める。
【００３０】
（５）
そして、該３角形における該特定シート面Ｐ２Ｓｈｅｅｔに対応する底辺と第一傾斜面１６に相当する辺とで形成される内角を第一傾斜面１６の傾斜角θ１と定義する。同様に、該３角形における該特定シート面Ｐ２Ｓｈｅｅｔに対応する底辺と第二傾斜面１７に相当する辺とで形成される内角を第二傾斜面１７の傾斜角θ２と定義する。
【００３１】
（５−１）
第一傾斜面１６及び第二傾斜面１７が図６の如く平面（主切断面においては直線）であり、且つ稜線１４ａが直線（この形態は図示無し）の場合は、以上の通りである。
【００３２】
（５−２）
一方、現実の凹凸模様には、第一傾斜面１６及び第二傾斜面１７の少なくとも一方が、少なくとも一部領域において、非平面（図７のように主切断面においては非直線）となる場合の方が寧ろ多い。そこでこのような非平面の場合には次のように考える。
その際、第一傾斜面１６又は第二傾斜面１７の何れかが表面に微細な凹凸を有して粗面となる場合は、該粗面を最小二乗法等の適宜手法で平滑化した面を求める。この場合には、第一傾斜面１６を平滑化した面を平滑化第一傾斜面１６Ｓと呼称し、第二傾斜面１７を平滑化した面を平滑化第一傾斜面１７Ｓと呼称する。この平滑化第一傾斜面１６Ｓ、平滑化第二傾斜面１７Ｓの面の性質により、さらに次のように考える。
【００３３】
（５−２−１）
平滑化第一傾斜面１６Ｓ又は平滑化第一傾斜面１７Ｓが平面となる場合は、かかる平滑化した傾斜面１６Ｓ又は傾斜面１７Ｓについて上記した傾斜面が平面の場合と同様の方法にて傾斜角θ１又は傾斜角θ２を求める。
図５についてこの例に倣って傾斜角θ１及び傾斜角θ２を演算したところ、傾斜角θ１は３．９４°、傾斜角θ２は１８．４８°となった。演算の元となる形状の測定は、三次元測定器（株式会社キーエンス、ＶＲ−３０００）にて得た三次元形状を用いた。
【００３４】
（５−２−２）
一方、平滑化第一傾斜面１６Ｓ又は平滑化第一傾斜面１７Ｓの何れかが曲面等の非平面となる場合は、以下の如くする。
（５−２−２ａ）
非平面となる平滑化第一傾斜面１６Ｓ又は平滑化第二傾斜面１７Ｓについて、図７のように、稜線１４ａ（に対応する点（頂点））と谷線１５ａ（に対応する点）とを接続し、主切断面と直交する平面を求める。図７の如き主切断面内においては、稜線１４ａに対応する点と谷線１５ａに対応する点とを結ぶ直線を引くことに相当する。これを平面化した平滑化第一傾斜面１６Ｐ、平面化した第二平滑化傾斜面１７Ｐと呼称する。
（５−２−２ｂ）
しかる後、非平面となる平滑化第一傾斜面１６Ｓ又は平滑化第二傾斜面１７Ｓを平面化した平滑化第一傾斜面１６Ｐ又は平面化した第二平滑化傾斜面１７Ｐと置換する。以降は、前記傾斜面が平面の場合と同様の方法にて傾斜角θ１又はθ２を求める。
【００３５】
（６）
次に凹凸中のシート面内方向における分布の有無を確認し、傾斜角を決める。その際には凹凸中の傾斜角の特徴によって次のように考える。
【００３６】
（６−１）
もし、凹凸中の第一傾斜面１６の傾斜角θ１及び第二傾斜面１７の傾斜角θ２がシート面内の全域において同一の値を有する場合は、凹凸模様中の任意の点における傾斜角θ１及び傾斜角θ２の値を以ってその凹凸模様を代表する傾斜角θ１及び傾斜角θ２とすれば良い。
【００３７】
（６−２）
一方、もし凹凸中の第一傾斜面１６の傾斜角θ１及び第二傾斜面１７の傾斜角θ２がシート面内の場所によって異なる場合には、以下の如くとする。
（６−２ａ）
先ず、凹凸中において任意の１条の稜線１４ａの任意の部分を選択する。該稜線の選択部分の中で、任意の異なる場所１０箇所について、前記方法により傾斜角θ１及び傾斜角θ２の値を求め、その１０点平均値を以って、当該稜線の当該選択部分の傾斜角θ１及び傾斜角θ２とする。
（６−２ｂ）
次いで、凹凸中において他の任意の１条の稜線の任意の部分を選択して同樣に１０点平均値として当該稜線の当該選択部分の傾斜角θ１及び傾斜角θ２を求める。
（６−２ｃ）
かかる測定を、傾斜角θ１及び傾斜角θ２の１０点平均値の分散が十分収束したと判断される程度に複数の稜線の複数の選択部が５個乃至１０個程度揃えれば、該１０点平均値の値は収束したとみなし得る。
（６−２ｄ）
かかる後、得られた個数の傾斜角θ１及び傾斜角θ２の１０点平均値を、更に、傾斜角θ１、傾斜角θ２別に各々平均した値を以って、当該凹凸模様の傾斜角θ１及び傾斜角θ２の値とする。
【００３８】
以上の（１）乃至（６）により傾斜角定義の測定基準とすべき特定シート面Ｐ２Ｓｈｅｅｔ選定するとともに傾斜角θ１、傾斜角θ２を得る。
【００３９】
本形態では傾斜角θ１が傾斜角θ２より小さくなる関係を有して構成されている。これにより従来のように凹凸模様における高さの階調が限定的であるため単調となることが避けられ、より実際の石材表面に近い豊かな外観の化粧材を得ることができ、外観について違和感が少なくできる。また、触感の観点からも同様の観点からこれまでとは異なる化粧材となる。
【００４０】
具体的な傾斜角θ１及び傾斜角θ２の大きさは特に限定されることはないが、傾斜角θ１は０°より大きく１０°以下であることが好ましい。また、傾斜角θ２は１０°より大きく８０°以下であることが好ましい。
また、傾斜角θ１と傾斜角θ２との差は特に限定されることはないが、大きい方が視覚及び触感の観点からその効果が大きくなる。好ましくはその差は５°以上７０°以下である。
【００４１】
ここで、隣り合う凸部１４の間隔（図６（ｂ）における傾斜面１６、及び傾斜面１７のシート面Ｐｓｈｅｅｔに対する正射影の長さの和Ｌ１６＋Ｌ１７に相当）は、表現しようとする模様により異なるため特にその好ましい範囲はなく、表現に必要な大きさを適宜設定可能であり、規則的であっても不規則であっても良い。ただし、通常の石材表面の凹凸模様の外観を再現する観点からは、凸部１４の間隔は５ｍｍ以上２００ｍｍ以下の範囲とすることが好ましい。
図６（ｂ）にＨ１で示した稜線１４ａと谷線１５ａとの厚さ方向（ｚ方向）の差、即ち厚さ方向の高低差（乃至は段差）も特に限定されることはなく傾斜角θ２や凸部１４の間隔により決まる。その中でも化粧材に形成された模様の十分な視認性、意匠外観、及び触感の再現性の点で、一般には高低差は大きい方が好ましい。但し、一方では、基材１１への凹凸模様の賦形の容易さの点で、一般に高低差は小さい方が好ましい。即ち、一般に、高低差が大きくなるに従って版の製造、及び、版の凹凸模様の基材への忠実な賦形が共に難しくなる。且つ、凹凸模様を賦形可能な基材の最低厚みも増大する。よって、意匠外観の再現性と賦形の容易性との両立の観点から、高低差Ｈ１は１μｍ以上１０００μｍ以下程度であることが好ましい。
【００４２】
本形態では一般に石材表面を印象付ける表面を例示した。ただしさらにこれを特徴づける観点から、花崗岩等の多結晶体石板表面の劈開面の凹凸模様、石灰岩、大理石（結晶質石灰岩）、砂岩等のより具体的な石材破断面の表面凹凸模様を模擬することもできる。
ここで、本発明において表現する凹凸模様は、必ずしも実物の石材表面の凹凸模様と同じ凹凸形状乃至凹凸構造を有している必要は無い。要するに、本発明では表現対象とする凹凸模様と同様の意匠外観及び／又は触感を観察者が知覚できるように構成されていればよい。
【００４３】
図３に戻って絵柄層１８について説明する。絵柄層１８は、絵柄（デザイン）が施された層であり、図２の例では基材１１のうち模様形成層１２とは反対側に配置され、図３の例では模様形成層１２の全体に亘って積層されている。
絵柄層１８における具体的な絵柄は、より石材表面の印象を強調するための花崗岩、大理石、砂岩等の岩石の板の表面又は破断面に代表される石材表面等の各種の模様の他、色彩パターン、写真、絵画、図画又は幾何学模様等を配置することができる。例えば模様形成層１２により石材表面模様が形成されていればこの模様に合わせた絵柄とすることができる。その際には、模様形成層１２の凹凸に合わせた絵柄であっても良いし、模様形成層１２の凹凸とは異なる絵柄であってもよい。
このような絵柄層１８のデザインは例えばグラビア印刷、シルクスクリーン印刷、インキジェット印刷等の印刷で形成したインキ層により形成することができる。
【００４４】
絵柄層１８を構成するインキとしては、公知のものの中から絵柄の色調及び要求される物性に応じて適宜選択すれば良い。インキのバインダ樹脂としては、例えば、アクリル樹脂、塩化ビニル−酢酸ビニル共重合体、セルロース系樹脂、ウレタン樹脂、ポリエステル樹脂等を１種単独で或いは２種以上混合して用いることができる。
着色剤（顔料、染料等）としては、例えば、チタン白、亜鉛華等の白色着色剤、カーボンブラック（墨）、鉄黒、アゾメチンアゾ系顔料等の黒色着色剤、黄鉛、チタン黄、ポリアゾ系イエロー、イソインドリノンイエロー、ニッケルアゾ錯体等の黄色着色剤、弁柄、カドミウム赤、ポリアゾ系レッド、キナクリドンレッド等の赤色着色剤、群青、コバルトブルー、フタロシアニンブルー等の青色着色剤、アルミニウム、真鍮等の鱗片状箔片からなる金属顔料、二酸化チタン被覆雲母、塩基性炭酸鉛等の鱗片状箔片からなる真珠光沢（パール）顔料等の着色剤を用いることができる。
その他、必要に応じて、可塑剤、界面活性剤、熱安定剤、紫外線吸收剤、光安定剤、滑剤等各種添加剤を適量添加することができる。
【００４５】
また、図３の例では絵柄層１８に対してさらに透明保護層を積層してもよい。透明保護層は、絵柄層１８及び模様形成層１２を汚染や傷等から保護する層であり、透明樹脂、又は透明ガラスなどにより構成することができる。
透明樹脂を用いる場合には、例えば、熱可塑性樹脂、硬化樹脂による層を挙げることができる。
【００４６】
熱可塑性樹脂としては、例えば、ポリメチル（メタ）アクリレート、ポリエチル（メタ）アクリレート等のアクリル樹脂、ポリプロピレン、ポリエチレン等のポリオレフィン系樹脂、ポリ弗化ビニル、ポリ弗化ビニリデン等の弗素樹脂、ポリエチレンテレフタレート（ＰＥＴ）、ポリブチレンテレフタレート（ＰＢＴ）、ポリエチレンナフタレート（ＰＥＮ）等のポリエステル樹脂、ポリカーボネート樹脂、塩化ビニル系樹脂、アクリロニトリル−ブタジエン−スチレン樹脂（ＡＢＳ樹脂）、アクリロニトリル−スチレン−アクリル酸エステル樹脂等が挙げられる。なお、「（メタ）アクリル」は、アクリル又はメタクリルを意味する。
【００４７】
硬化樹脂による層は、硬化性樹脂組成物が硬化した層であり、硬化性樹脂組成物は、硬化性樹脂を含有する組成物である。硬化性樹脂組成物としては、例えば、熱硬化性樹脂を含有する熱硬化性樹脂組成物、電離放射線硬化性樹脂を含有する電離放射線硬化性樹脂組成物等が挙げられる。
熱硬化性樹脂としては、例えば、不飽和ポリエステル樹脂、ポリウレタン樹脂（２液硬化型ポリウレタンも含む。）、エポキシ樹脂、アミノアルキッド樹脂、フェノール樹脂、尿素樹脂、ジアリルフタレート樹脂、メラミン樹脂、グアナミン樹脂、メラミン−尿素共縮合樹脂、珪素樹脂、ポリシロキサン樹脂等が挙げられる。熱硬化性樹脂組成物は、必要に応じて、熱硬化性樹脂の硬化反応に関与する成分、例えば、触媒、硬化剤（架橋剤、重合開始剤、重合促進剤等を含む）等を含有してもよい。
電離放射線硬化性樹脂は、電離放射線の照射により架橋重合反応を生じ、３次元の高分子構造に変化する樹脂である。電離放射線は、電磁波及び荷電粒子線のうち、分子を重合又は架橋し得るエネルギー量子を有するものであり、紫外線（ＵＶ）及び電子線（ＥＢ）の他、Ｘ線、γ線等の電磁波、α線、イオン線等の荷電粒子線も包含するが、通常、紫外線（ＵＶ）又は電子線（ＥＢ）が使用される。電離放射線硬化性樹脂の中でも、電子線硬化性樹脂は、無溶剤化が可能であり、光重合用開始剤を必要とせず、安定な硬化特性が得られる。
電離放射線硬化性樹脂としては、例えば、電離放射線の照射により架橋可能な（メタ）アクリロイル基等の重合性不飽和結合、エポキシ基等を分子中に有するモノマー、オリゴマー、或いはプレポリマー等の１種以上を含有する組成物を使用することができる。
【００４８】
透明保護層の厚さは特に限定されることはないが、０．１μｍ以上４００μｍ以下が好ましい。薄いと曲げ等による耐久性は高いが耐擦傷性では弱く、厚いと耐擦傷、傷には強いが曲げ等の変形に弱く割れ等が発生するため、上記範囲の厚さとすることによりバランスのよい透明保護層とすることができる。より好ましくは１μｍ以上１０μｍ以下である。
【００４９】
着色層１９は、図２で示した化粧材１０を作製するに際して絵柄層１８を積層する際に用いる層であり、化粧材１０の作製において絵柄層１８の基材となる。すなわち、絵柄層１８が積層された着色層１９と模様形成層１２が形成された基材１１が貼り合わされることにより化粧材１０とされる。
着色層１９に用いられる材料は基材１１と同様に考えることができるが、着色されていることが好ましい。
【００５０】
次に化粧材１０の製造方法の例を説明する。ただし、化粧材１０を製造する方法がこれに限定されることはない。
以下に説明する製造方法には、版下画像を作製する工程、版を作製する工程、凹凸模様を形成する工程を含んでいる。
【００５１】
版下画像を作製する工程では、基材１１表面に表現すべき平面視における模様を画像濃度（濃淡）として取得してこれを版下画像とする。版下画像はデジタルデータであることが好ましいため、デジタルデータでない場合には石材表面等の原稿自体或いは原稿の写真をスキャナで読み込みＡＤ変換する手法を用いることにより、２次元座標平面（ｘ、ｙ）内に画素が配列してなり、各画素には各々固有の濃度値が対応して成るデジタルデータを得る。また、初めから模様をＣＡＤ等を用いてデジタルデータを利用して設計していた場合にはそのデジタルデータを用いることができる。
これで、デジタルデータとして版下画像が得られる。
【００５２】
この版下画像を作製する工程では、得られた模様の濃度の連続階調画像を基に該連続階調濃度画像中に線状の二値画像パターンを生成して該連続階調濃度画像中の一部の画素が稜線又は谷線を構成する画素となるように配置し、デジタルデータとして版下画像中における稜線及び谷線を得る。
【００５３】
具体的には、例えば以下のような方法を用いる。但し、本発明は下記の方法により得られた化粧材のみに限定される訳では無い。ここでは凹凸形成層における凸部１４及び凹部１５の形成に注目して説明する。
即ち、面内の各方向に向かって位置座標の増加に伴い画像濃度が増減の変化率を計算する。そして、画像濃度が座標の増加とともに増加から減少に転じる極大点の画素を稜線１４ａの画素とする。又、画像濃度が座標の増加とともに減少から増加に転じる極小点の画素を谷線１５ａの画素とする。
かかる処理を連続階調濃度画像の各画素について実施する事により、連続階調濃度画像中に稜線１４ａ及び谷線１５ａに対応する線を有する画像データを得る。
【００５４】
画像データにおいては、２次元座標平面内で稜線１４ａに相当する線と直交する方向で該稜線１４ａに対応する点に向って漸次接近するに従い濃度値は増加し、該稜線１４ａに対応する点で濃度値が極大となり、該稜線１４ａに対応する点から漸次離脱するに従い濃度値は減少する特徴を有した画像データとなっている。
又、該画像データにおいて、２次元座標平面内で谷線１５ａに相当する線と直交する方向で該谷線１５ａに対応する点に向って漸次接近するに従い濃度値は減少し、該谷線１５ａに対応する点で濃度値が極小となり、該谷線１５ａに対応する点から漸次離脱するに従い濃度値は増加する特徴を有した画像データとなっている。
【００５５】
次いで、製造する化粧材に求める凹凸模様において、第一傾斜面１６の傾斜角θ１と第二傾斜面１７とのなす角を第二傾斜面１７の傾斜角θ２について、「θ１がθ２よりも小さくなる関係を満たす面積の化粧材全面積に対する面積率σ」の設計値を所望の値に設定する。
【００５６】
次いで、以上の如く処理した連続階調濃度画像において、稜線１４ａの前後における濃度勾配の差を計算し、稜線１４ａを挟んだ両側の領域における平均濃度勾配の差異を確認する。
具体的には、稜線１４ａと直交する方向で該稜線１４ａに向って所定の距離漸次前進しながら各位置座標における濃度値を求め、該前進した経路と距離に沿った平均濃度勾配を計算する。かかる所定の距離としては、谷線１５ａと稜線１４ａとが隣接する場合は、該隣接する谷線１５ａから稜線１４ａまでの距離とされる。又、かかる前進経路に沿って稜線１４ａから隣接する谷線１５ａに向い前進しながら各位置座標における濃度値を求め、該前進した経路と距離に沿った平均濃度勾配を計算する。
【００５７】
次いで、該前進経路に沿った特定稜線１４ａ上の特定画素の両側の平均濃度勾配を比較する。かかる処理を各稜線１４ａ上の各画素について行う。
【００５８】
次いで、該連続階調濃度画像において、全稜線１４ａ上の画素のうちについて、稜線１４ａの両側の平均濃度勾配が異なる条件を満たす稜線１４ａの部分の長さを連続階調濃度画像の全領域に亘って積分した積分値Ｓを求める。
次いで、該積分値Ｓと設計値として設定した面積率σとを比較する。そして、両者の誤差が予め設定した許容範囲ｅ以内に収束しているか否か、即ち、
|(Ｓ−σ)／σ|≦ｅ
を満たす否かを確認する。
これがもし収束していれば、版下画像作成を終了する。一方もし収束していない場合は、収束するように該連続階調濃度画像における各画素の濃度を修整する。
【００５９】
このようにして生成された稜線は、その線分部分が、化粧材における稜線に該当し、該稜線を基準として、版下画像作成者が選択した、一方の側の隣接する谷線までの領域を第一傾斜面に割り当て、他方の側の隣接する谷線までの領域を第二傾斜面に割り当てる。
【００６０】
版を作製する工程では、版下画像に基づいて平面視形状の模様における濃淡画像（濃度値の濃淡）を版深に変換して成る凹凸模樣（高さの高低）の逆凹凸の凹凸模様を表面に有するエンボス版（化粧材用成形型）の作製を行う。
そして具体的には凹凸模様の製造工程は以下の手順（Ａ）乃至（Ｅ）を含んでなる。
【００６１】
〔（Ａ）濃淡階調版下画像作成工程〕
以上で得られた図１の凹凸模様に対応する濃淡画像データを得る。この濃淡画像データを凹凸模様画像データともいう。
【００６２】
〔（Ｂ）金属ロール準備工程〕
上記工程（Ａ）と並行して、図８に示したようなエンボス版彫刻用の金属ロール７０を準備する。金属ロール７０は、軸方向両端部に回転駆動軸（ｓｈａｆｔ）７１を有する中空の鉄製の円筒の表面に銅層をメッキ形成したものである。砥石で金属ロール７０の表面を研磨して粗面化し、彫刻用レーザ光の鏡面反射による彫刻効率の低下を防止する処理をする。
【００６３】
〔（Ｃ）レーザ光彫刻工程〕
図８に模式的に示したように、レーザ光直接彫刻機を用い、工程（Ｂ）で用意した金属ロール７０の表面を工程（Ａ）で作成した凹凸模様画像データに基づき彫刻する。これによりその表面に図４（ａ）のような化粧材表面の凹凸模様と同一平面視形状で且つ逆凹凸（化粧材の凸に対応する部分がエンボス版面上では凹となる関係）の凹凸形状を形成する。
従ってエンボス版における凹凸模様が備えるべき形状は、上記した化粧材における凹凸模様の凹凸関係が反転した態様であり、同様に考えることができる。
【００６４】
金属ロール７０をその回転駆動軸７１を介して電動機で駆動し、回転駆動軸７１を中心軸として回転する。レーザーヘッド７２から出射される発振波長１０２４ｎｍ、レーザスポット径１０μｍ、出力６００Ｗのファイバーレーザ光Ｌで金属ロール７０の表面の全面を走査する。その際には工程（Ａ）で作成した凹凸模様画像データの濃度値に応じてレーザ光をＯＮ−ＯＦＦ切換（照射又は非照射の切換）を行い、照射位置には１回のレーザ光照射による金属の蒸発で深さ１０μｍの凹部を形成する。かかるレーザ光による金属ロール表面に対する走査を１０回繰り返す。また、蒸発した金属が粉体となって金属ロール７０の表面に残留又は付着することを防止するため、彫刻液吐出口７３から彫刻液Ｔを金属ロール７０の表面のレーザ光照射領域に吹き付けた状態でレーザ光照射を行う。
その際に、例えば、凹凸模様画像データ上で版深５０μｍに対応する画像濃度の位置座標においては、合計１０回の走査のうち、最初の５回分のみレーザ光を照射（ＯＮ）し、残り５回分についてはレーザ光は非照射（ＯＦＦ）となるよう制御する。
【００６５】
尚、金属ロール７０上の各位置座標に対応する凹凸模様画像データ上の画像濃度を彫刻すべき版深に変換するに当たっては、先ず、エンボス上の所望の（設計目標としての）版深の分布幅（最大版深−差意匠版深であり、これはエンボス加工後に得られる化粧材表面の最大の高低差に対応する）を決定する。かかる後、凹凸模様画像データ上の画像濃度の分布幅を版深の分布幅に対応するよう、レーザ光直接彫刻機の彫刻制御プログラムを設定する。
具体的には、凹凸模様画像データ上の画像濃度に対して、画像濃度が大きな部分を版深の大きな部分に対応させる場合は、最大濃度が最大版深（最大彫刻量）に、又、最小濃度が最小版深（最小彫刻量）に対応するようプログラムする。
かかるレーザ光の走査を完了させ、金属ロール７０の表面に所望の凹凸形状を形成する。
【００６６】
〔（Ｄ）電界研磨工程〕
彫刻液を洗浄した後、電解研磨を行い、金属ロール７０の表面に付着した金属の残渣を除去する。
【００６７】
〔（Ｅ）クロムメッキ工程〕
工程（Ｄ）の後、該金属ロール表面にメッキにより厚さ１０μｍのクロム層を形成する。
【００６８】
次に、凹凸模様を形成する工程で、作製された版（エンボス版）を用いて、基材１１にエンボス加工を行えば化粧材１０が得られる。エンボス加工は、適宜な公知の方法によれば良く、特に制限はない。エンボス加工の代表的な方法は例えば次のようなものである。
基材としてポリオレフィン系樹脂等の熱可塑性樹脂からなる樹脂シートを用いる。この基材を加熱軟化させ、その表面にエンボス版を押圧して該樹脂シート表面にエンボス版表面の凹凸模様を賦形する。そして樹脂シートを冷却して固化させて樹脂シート上の凹凸模様を固定する。その後に凹凸模様が賦形された樹脂シートをエンボス版から離型する。
ここで、各種エンボス加工法について、さらに説明すると例えば次の（ａ）〜（ｅ）のような方法がある。
【００６９】
（ａ）基材となる樹脂シートを加熱軟化させ、エンボス版を押圧して、エンボス加工する。
（ｂ）エンボス版を押圧する時の熱圧で表面シートとなる樹脂シート（基材）とベースシートとする樹脂シート（第２の基材）とを熱融着することにより、エンボス加工とラミネートとを同時に行うダブリングエンボス法によりエンボス加工する。
（ｃ）表面シートとする樹脂シート（基材）を、Ｔダイから溶融押出しをし、冷却ローラを兼ねるシリンダ状のエンボス版上に接触させて表面シートの成膜と同時にエンボス加工する。このとき、さらに表面シートの裏面側に挿入したベースシートとする樹脂シート（第２の基材）を熱融着させてダブリングエンボスを成膜と同時に行う。
（ｄ）特開昭５７−８７３１８号公報、特開平７−３２４７６号公報等に開示の如く、シリンダ状のエンボス版の表面に電離放射線硬化性樹脂の未硬化液状物を塗工する。さらにその上に、樹脂シート等からなるベースシートを重ねた状態で電離放射線を照射して未硬化液状物を硬化させて硬化物とする。その際、該硬化物をベースシートと接着させた後、エンボス版から離型して、ベースシートと該ベースシート上の硬化物とからなる基材とすることで、基材にエンボス加工する。
（ｅ）チタン紙等の紙にメラミン樹脂等の熱硬化性樹脂の未硬化物を含浸した含浸紙を、コア紙、木材合板上等の裏打材上に載置して、これら載置した複数層を熱プレス成形することによって各層を積層一体化して熱硬化性樹脂化粧材を作製する。そのとき、含浸紙表面側にエンボス版を挿入することによって、熱硬化性樹脂を含浸硬化させて化粧材とする際にその表面に熱プレスと同時にエンボス加工する。
【００７０】
なお、（ａ）乃至（ｃ）のエンボス加工法で用いる基材の材料としては代表的には熱可塑性樹脂が使用され、（ｄ）のエンボス加工法で用いる基材の材料としては代表的には電離放射線硬化性樹脂が使用され、（ｅ）のエンボス加工法で用いる基材の材料としては代表的には熱硬化性樹脂が使用される。
【００７１】
以上のようにして基材１１に模様形成層１２を形成して、他の層を必要に応じて積層することで化粧材１０を得ることができる。
【００７２】
以上説明した化粧材の用途は特に制限は無いが、例えば、壁、床、天井等の建築物の内装材、建築物の外壁、屋根、門扉、塀、柵等の外裝材、扉、窓枠、扉枠等の建具、廻り縁、幅木、手摺等の造作部材の表面材、テレビ受像機、冷蔵庫等の家電製品や複写機等の事務機器の筐体の表面材、箪笥等の家具の表面材、箱、樹脂瓶等の容器の表面材、車両等の内装材又は外裝材、船舶の内装材又は外装材等である。
【符号の説明】
【００７３】
１０  化粧材
１１  基材
１２  模様形成層
１４  凸部
１４ａ  稜線
１５  凹部
１５ａ  谷線
１８  絵柄層
１９  着色層
【図１】
2020157551.tif 000003
【図２】
2020157551.tif 000004
【図３】
2020157551.tif 000005
【図４】
2020157551.tif 000006
【図５】
2020157551.tif 000007
【図６】
2020157551.tif 000008
【図７】
2020157551.tif 000009
【図８】
2020157551.tif 000010